(57)【要約】【課題】枠体を軟質樹脂で一体成形し、内・外側の外殻の開口に簡単に嵌め付けることができるガラス埋め込み扉を提供する。【解決手段】内・外側外殻１２，１１に開口１３ａ　，１３ｂ　を設け、この開口に枠体１４を嵌め、ガラス板１５ａ　，１５ｂ　を嵌め込んだガラス嵌め込み扉３０において、上記枠体１４を、軟質プラスチックで一体に成形したものを採用し、上記枠体１４は、内・外側外殻１２，１１の開口１３ｂ　，１３ａ　縁の挟持部１８，１７と、上記内側外殻１２の開口縁挟持部１８の底部と外側外殻１１の開口縁の挟持部１７の内側上縁とを繋いで一体に成形し、上記繋いだ部分２７の内側外殻１２の開口縁挟持部１８寄りに、スペーサ２４ｂ　の脚２８を嵌め殺し状態で嵌める溝２０を形成し、上記内・外側の外殻開口１３ｂ　，１３ａ　縁に段差を設け、上記枠体は、上記段差を設けた開口縁に嵌まり込む構造にした。【選択図】　図１
2004069114.tif 000002
【特許請求の範囲】
【請求項１】
内側外殻と外側外殻に亘って貫通する開口を設け、この開口に枠体を嵌め込み、この枠体にガラス板を嵌め込んでなる保冷庫のガラス嵌め込み扉において、上記枠体を、軟質プラスチックで一体に成形したものを採用したことを特徴とする保冷庫のガラス埋め込み扉。
【請求項２】
上記枠体は、内・外側外殻の開口縁を挟持する挟持部と、上記内側外殻の開口縁挟持部の底部分と外側外殻の開口縁の挟持部の内側上縁とを繋いで一体に成形したことを特徴とする請求項１に記載の保冷庫のガラス埋め込み扉。
【請求項３】
上記繋いだ部分の内側外殻の開口縁挟持部寄りに、スペーサの脚を嵌め殺し状態で嵌める溝を形成したことを特徴とする請求項１または２に記載の保冷庫のガラス埋め込み扉。
【請求項４】
上記内・外側の外殻開口縁に段差が設けられ、上記枠体は、上記段差を設けた開口縁に嵌まり込む構造にしたことを特徴とする請求項１乃至３のいずれかに記載の保冷庫のガラス埋め込み扉。
【発明の詳細な説明】
【０００１】
【発明の属する技術分野】
この発明は、覗き窓を設けた保冷庫（冷蔵庫、以下省略）の、ガラス嵌め込み枠の構造に関する。
【０００２】
【従来の技術】
保冷中の商品を観察するための覗き窓は、図４から図６に示すように保冷庫の外側外殻４１と内側外殻４２とを貫通するように開口４３を形成し、この開口４３に硬質プラスチックを材料とする枠体４４を嵌め込み、この枠体４４にガラス板４５ａ　，４５ｂ　を嵌め入れてなるものである。
【０００３】
上記枠体４４は、保冷庫の外殻４１，４２に設けた開口４３に、硬質プラスチック材料を成形した二個のストレート縦枠体４４ａ、二個のストレート横枠体４４ｂ　と４個のコーナー枠体４４ｃとを組み合わせた枠体４４を嵌め込んで開口４３を閉塞し、両外殻４１，４２の内部に発泡ポリウレタン樹脂組成物４６を注入発泡させて断熱層を形成し枠体が容易に外れないようにしたものである。
【０００４】
枠体４４が、外殻４１，４２の開口４３に嵌め込まれた状態の断面形状は図５に示す如く、両外殻４１，４２の開口には枠体４４の挟持部４７，４８でもって外殻４１，４２の開口縁を挟み付け、内側外殻４２の内側に向けて鉤形片４９がのび発泡ポリウレタン樹脂組成物４６に埋め込まれた状態となって容易に外れないようになり、さらに枠体４４の片端（鉤形片側）には溝５０が形成され、この溝５０にガラス押さえ５１が嵌まり込む。なお、上記ガラス押さえ５１が嵌まり込む部分には鉤５２を形成し抜け止めになっている。
【０００５】
上記のように外側の外殻４１と内側の外殻４２に形成された開口４３に取り付けられた枠体４４にガラス板４５ａ　，４５ｂ　が取り付けられるが、その手順は、外側から内側へ、外側ガラス板４５ａ　、シーラント５３、二個のスペーサ５４を介在させて熱線吸収フィルム５５、内側ガラス板４５ｂ　を順次嵌め、最後にガラス押さえ５１を枠体４４の溝５０に押し込む。
【０００６】
【発明が解決しようとする課題】
上記の如く構成する従来の覗き窓形成用枠体では、外殻の開口に枠体を嵌めるために４個のコーナー枠体と、各２個の縦・横ストレート枠体に分かれていた部材を組み合わせなければならず、部品数が多くなり取付け作業も面倒である。
【０００７】
上記従来技術の問題に鑑みこの発明は、枠体を一体成形して部品を一個とし、内・外側の外殻の開口に簡単に嵌め付けることができる枠体を採用した保冷庫のガラス埋め込み扉を提供することを課題とする。
【０００８】
【課題を解決するための手段】
上記課題を解決するためにこの発明は、内側外殻と外側外殻に亘って貫通する開口を設け、この開口に枠体を嵌め込み、この枠体にガラス板を嵌め込んでなる保冷庫のガラス嵌め込み扉において、上記枠体を、軟質プラスチックで一体に成形したものを採用したもの（請求項１）で、上記枠体は、内・外側外殻の開口縁を挟持する挟持部と、上記内側外殻の開口縁挟持部の底部と外側外殻の開口縁の挟持部の内側上縁とを繋いで一体に成形し（請求項２）、上記繋いだ部分の内側外殻の開口縁挟持部寄りに、スペーサの脚を嵌め殺し状態で嵌める溝を形成し（請求項３）、上記内・外側の外殻開口縁に段差が設けられ、上記枠体は、上記段差を設けた開口縁に嵌まり込む構造にした（請求項４）ものである。
【０００９】
上記の如く構成するこの発明によれば、枠体を軟質のプラスチックを材料とすることにより内・外側の外殻縁周りに枠体を嵌め込むとき、自在に変形させることが可能となって、一体成形品でありながら容易に嵌め込むことが可能となった（請求項１について）。
【００１０】
内・外側外殻の開口縁挟持部を段差をもって繋ぐことにより、内・外側の外殻開口に枠体を嵌め込み易くなる（請求項２，４について）。また、内・外側の外殻の開口縁挟持部を繋いでいる部分の内側開口縁挟持部寄りに、スペーサの脚部を嵌め殺し状態で嵌める溝を形成したことにより、スペーサと透明アクリル板の取付けを容易にしている。
【００１１】
【発明の実施の形態】
次にこの発明の実施形態を図面を参照しながら説明する。外側外殻１１と内側外殻１２に亘って貫通する開口１３ａ　，１３ｂ　が設けられ、この開口１３ａ　，１３ｂ　は、外側外殻１１側を小さく、内側外殻１２側を若干大きくして両開口１３ａ　，１３ｂ　縁の間に段差を形成している。
【００１２】
上記開口１３ａ　，１３ｂ　には枠体１４を嵌め込み、この枠体１４に複層ガラス１５ａ　，１５ｂ　を嵌め込んで覗き窓２６を形成している。
【００１３】
上記枠体１４は、軟質プラスチックで一体に成形したもので、内・外側外殻１２，１１の開口１３ｂ　，１３ａ　の縁を挟持する挟持部１８，１７と、上記内側外殻の開口縁挟持部１８の底部と外側外殻の開口縁の挟持部１７の内側上縁１７ｒ　とを繋ぐ部分２７とを一体に成形しており、上記繋ぐ部分２７の内側外殻１２の開口縁挟持部１８寄りに、スペーサ２４ｂ　の脚２８を嵌め殺し状態で嵌める溝２０を形成している。なお、枠体１４の内周には、複層ガラス１５ａ　，１５ｂ　に衝撃が加わらないようにヒレ２９が形成されている。
【００１４】
上記枠体１４は、上記段差を設けた開口１３ａ　，１３ｂ　の縁に対応した構造をしており、該開口１３ａ　，１３ｂ　の縁に軟質プラスチックの弾性を利用して嵌め込むようになっている。
【００１５】
保冷庫１０のガラス埋め込み扉３０（覗き窓付き扉）は、外殻１１、内殻１２の開口１３ａ　，１３ｂ　の縁に上記枠体１４を図２のように弾性を利用して窄めた状態とし、各開口１３ｂ　，１３ａ　の縁に各挟持部１７，１８を被せ、開口１３ａ　，１３ｂ　の外殻・内殻の開放部分を閉塞する（図１参照）。
【００１６】
次に、枠体１４の外殻開口１３ａ　の挟持部１７寄りにスペーサ２４ａ　とシーラント２３とが一体の複層ガラス１５ａ　，１５ｂ　を嵌め、上記嵌め殺し構造の溝２０にスペーサ２４ｂ　の脚２８を嵌め込み、このスペーサ２４ｂ　に透明アクリル板３１を宛がいナイロン鋲またはビスねじ３２で固定する。
【００１７】
上記枠体１４の内周に設けたヒレ２９は、複層ガラス１５ａ　，１５ｂ　を保護し、枠体１４と複層ガラス１５ａ　，１５ｂ　との間に空隙を形成して空気の流れを遮断して断熱効果を上げている。
【００１８】
最後に外殻１１と内殻１２との間の空間に発泡ポリウレタン樹脂組成物１６を注入して保冷庫のガラス埋め込み扉３０（覗き窓付き扉）は完成する。なお、発泡ポリウレタン樹脂組成物１６の注入は、枠体１４を開口１３ａ　，１３ｂ　の縁に被せ、外殻・内殻の開放部分を閉塞したときに行ってもよい。
【００１９】
【発明の効果】
以上説明したようにこの発明によれば、枠体を軟質プラスチックの弾性を利用して自在に変形させることができ、一体成形品の枠体を容易に開口縁に嵌め込むことが可能となり、内・外側外殻の開口を大小にして段差をつくり、枠体の構造をこの開口に対応させることにより枠体が嵌め込み易くなった。また、内・外側の外殻の開口縁挟持部を繋いでいる部分の内側開口縁挟持部寄りに、スペーサの脚部を嵌め殺し状態てせ嵌める溝を形成したことにより、スペーサと透明アクリル板の取付けが容易になった。
【図面の簡単な説明】
【図１】この発明に係るガラス埋め込み扉の要部断面図
【図２】扉の開口に枠体を嵌め込むときの説明図
【図３】ガラス埋め込み扉を設けた保冷庫の正面図
【図４】従来のガラス埋め込み扉の部材分解斜視図
【図５】従来のガラス埋め込み扉の要部断面図
【図６】従来のガラス埋め込み扉の要部正面図
【符号の説明】
１０　保冷庫
１１，４１　外側外殻
１２，４２　内側外殻
１３ａ　，１３ｂ　，４３　開口
１４，４４　枠体
１５ａ　，１５ｂ　　複層ガラス
１６，４６　発泡ポリウレタン樹脂組成物
１７，４７　挟持部（外側）
１８，４８　挟持部（内側）
２０，５０　溝
２１，５２　鉤
２３，５３　シーラント
２４ａ　，２４ｂ　，５４　スペーサ
２６，５６　覗き窓
２７，５７　繋ぐ部分
２８　脚
２９，５９　ヒレ
３０，６０　ガラス嵌め込み扉
３１　透明アクリル板
３２　ビスねじ
４５ａ　，４５ｂ　　ガラス板
４９　鉤形片
５１　ガラス押さえ
５５　熱線吸収フィルム
【図１】
2004069114.tif 000003
【図２】
2004069114.tif 000004
【図３】
2004069114.tif 000005
【図４】
2004069114.tif 000006
【図５】
2004069114.tif 000007
【図６】
2004069114.tif 000008